(57)【要約】【課題】微弱な漏洩電磁波に含まれる情報を精度良く測定、評価する。【解決手段】電子機器等の内部回路で使用されるディジタルパルス信号により生じた漏洩電磁波を、受信アンテナ１１により、その放射スペクトルの占める広い周波数帯域にわたって一括して受信し、受信信号と基準パルス発生回路１３で発生した基準パルス信号とをミキサ回路１５により混合して復調する。これにより、漏洩ディジタルパルス信号の複数のピークの電力を統合して利用可能となるので、Ｓ／Ｎ比の良い受信動作ができ、より高精度な受信レベルの測定や、より高感度な受信、復調が可能となる。【選択図】図１
2008309554.tif 000002
【特許請求の範囲】
【請求項１】
電子機器から漏洩する漏洩電磁波を受信して受信信号を出力する受信手段と、
前記受信信号に含まれる漏洩ディジタルパルス信号の基本ビットレートの整数倍の周波数を有する基準信号を発生する基準信号発生手段と、
前記受信信号と前記基準信号とを乗算するミキサ回路と、
前記ミキサ回路の出力信号から所望の周波数帯域の信号を抽出するフィルタ回路と、
前記フィルタ回路の出力信号を検波、復調する復調回路と、
を有することを特徴とする漏洩電磁波受信装置。
【請求項２】
前記基準信号発生手段は、前記基本ビットレートの整数倍のビットレートを有するパルス信号を基準信号として発生することを特徴とする請求項１記載の漏洩電磁波受信装置。
【請求項３】
前記基準信号発生手段は、
前記漏洩ディジタルパルス信号の基本ビットレートの整数倍の周波数の基準正弦波信号を発生する局部発振回路と、
前記基準正弦波信号の周波数の整数倍の周波数を有する正弦波信号を発生させる周波数逓倍回路と、を備え、
前記基準正弦波信号及び前記正弦波信号を前記基準信号として前記ミキサ回路に入力することを特徴とする請求項１記載の漏洩電磁波受信装置。
【請求項４】
前記周波数逓倍回路の出力信号を周波数毎に分離して複数の単一周波数の正弦波信号として出力する分別フィルタ回路と、
前記基準正弦波信号および前記分別フィルタ回路から出力される正弦波信号の信号レベルをそれぞれ個別に調節するレベル調整回路と、
を有することを特徴とする請求項３記載の漏洩電磁波受信装置。
【請求項５】
前記基準信号発生手段は、
前記漏洩ディジタルパルス信号の基本ビットレートの整数倍の周波数の基準正弦波信号を発生する局部発振回路と、
前記基準正弦波信号の位相と同期した当該基準正弦波信号の周波数の整数倍の正弦波信号を発生する複数のＰＬＬ回路と、
前記基準正弦波信号および複数の前記正弦波信号の信号レベルをそれぞれ個別に調節するレベル調整回路と、を備え、
前記レベル調整回路の出力信号を前記基準信号として前記ミキサ回路に入力することを特徴とする請求項１記載の漏洩電磁波受信装置。
【請求項６】
前記受信信号から前記漏洩ディジタルパルス信号の基本ビットレートの整数倍の周波数を有する信号を抽出する抽出手段を備え、
前記基準信号発生手段は、前記基準信号の位相を前記抽出手段が抽出した信号の位相に合わせる位相同期回路を有することを特徴とする請求項１乃至５のいずれかに記載の漏洩電磁波受信装置。
【請求項７】
前記フィルタ回路からの出力信号から画像を表示するための同期信号を抽出し、再生する同期信号再生回路を有することを特徴とする請求項１乃至６のいずれかに記載の漏洩電磁波受信装置。
【請求項８】
電子機器から漏洩する漏洩電磁波を受信して受信信号を出力するステップと、
前記受信信号に含まれる漏洩ディジタルパルス信号の基本ビットレートの整数倍の周波数を有する基準信号を発生するステップと、
前記受信信号と前記基準信号とを乗算するステップと、
前記乗算するステップにおいて乗算された出力信号から所望の周波数帯域の信号を抽出するステップと、
前記抽出するステップにおいて抽出された出力信号を検波、復調するステップと、
を有することを特徴とする漏洩電磁波受信方法。
【発明の詳細な説明】
【技術分野】
【０００１】
本発明は、電子機器等から漏洩する電磁波を受信し、その漏洩電磁波に含まれる情報を測定、評価する技術に関する。
【背景技術】
【０００２】
情報端末機器や通信装置、家電製品等の高性能化、高機能化に伴い、内部回路で扱う電気信号の高速化、広帯域化が進展し、それと共にディジタル信号が使用される機会が増えている。このような状況下では、これらの機器から意図しない電磁波が漏洩し、他の通信機器や家電製品の動作に影響を与える可能性や、これらの漏洩電磁波に重畳された情報を第三者により盗聴、再生され、情報が漏洩する危険性が増大している。
【０００３】
これらのリスクを把握しトラブルを防止するためには、漏洩電磁波のレベルを正確に測定し、それが外部に与える影響が大きい場合には、電磁シールドや回路、実装の工夫等により、電磁的対策を講じる必要がある。また、漏洩電磁波による情報の盗聴を防ぐためには、機器内部で扱う情報（通信データ、画像データ等）が漏洩電磁波にどの程度含まれているのかを、精度良く測定評価する手段が重要となる。
【０００４】
従来、無線信号を受信、復調する方法としては、ヘテロダイン方式が広く用いられている。ヘテロダイン方式は、局部発振回路により生成した特定周波数のキャリア信号と、受信した無線信号とを混合して周波数変換を行い、キャリア信号と無線信号の周波数の差分として得られた中間周波数の信号（ＩＦ信号）を増幅、フィルタリング、検波・復調することにより、所望の復調信号を生成する復調方式である。
【０００５】
ヘテロダイン方式は、一般に経済的に高性能を実現することが難しい広帯域の高周波増幅や、受信周波数に合わせた可変周波数での高周波フィルタリングを行う必要が無く、周波数の低い中間周波数帯で信号増幅や固定周波数でのフィルタリングを行えば良いため、安価で性能の高い増幅回路やフィルタを採用することができ、受信装置の感度や選択度の向上が容易である。
【０００６】
図８は、ヘテロダイン方式の受信装置７である。受信アンテナ７１により受信した受信信号（図９（ａ）に示す）から高周波フィルタ７２を用いて特定の周波数ｆｓを選択し、高周波増幅器７３により増幅する（図９（ｂ）に示す）。そして、ミキサ回路７５により、増幅した受信信号（図９（ｂ）に示す）と局部発振回路７４により発生させた周波数ｆｏの正弦波である局部発振信号（図９（ｃ）に示す）と混合させ、ｆｓ−ｆｏの周波数を持ち、受信信号と同じ変調成分をも散った中間周波数信号（図９（ｄ）に示す）を得る。この中間周波数信号は、電気回路で取り扱いやすい低周波領域に設定されるため、選択度などの性能が高い中間周波数フィルタ７６を用いて不要信号、雑音を除去して中間周波数信号（図９（ｅ）に示す）を得る。この中間周波数信号（図９（ｅ）に示す）を中間周波数増幅器７７により増幅し、検波・復調回路７８により検波、復調して所望の信号を得るものである。このように、ヘテロダイン方式は、中間周波数帯域での信号処理が可能であるため、高感度、高選択度の受信装置を実現できる。また、ヘテロダイン方式においては、中間周波数の増幅回路やフィルタの帯域幅を、受信する占有帯域幅とほぼ同程度に設計するため、事前に判っている特定の周波数において特定の占有帯域幅を有する信号については良好な受信、復調が可能である。
【０００７】
しかしながら、ディジタル信号により生じる漏洩電磁波などでは、ディジタル信号の基本ビットレート（繰り返し周波数）だけでなく、その整数倍の高調波成分などを広帯域に含むものとなるため、ヘテロダイン方式の受信機によってその全ての周波数成分を一括して受信することは困難である。ヘテロダイン方式の受信機においても、このような漏洩電磁波の特定の１つの周波数ピークに受信周波数を同調させることで、それに含まれている情報信号を復調することが可能であるが、この場合の受信信号には元の漏洩電磁波の電力の一部しか含まれていないため、受信効率が悪く、感度が低いものとなってしまう。
【０００８】
このような漏洩電磁波には、例えば、ＰＣおよびそのモニタやディスプレイケーブルから漏洩する電磁波が挙げられる。この漏洩電磁波を適当な方法で受信、復調することにより、モニタに表示された画像を遠隔で再現すること（ＴＥＭＰＥＳＴ）ができるため、その存在が情報セキュリティに対する驚異として指摘されている（特許文献１、非特許文献１参照）。一般に広く使用されているＶＧＡやＳＶＧＡなどの画像ディスプレイインタフェースからの漏洩電磁波は、画像信号の輝度情報を振幅とし、画素の表示速度である数十Ｍｂｐｓのビットレートを持ったドットクロックパルスにより生じる。この漏洩電磁波の周波数スペクトルは、ドットクロック周波数の整数倍の位置に、複数の高調波の放射ピークが生じる形となるが、これらのピークのいずれか一つに同調する受信機により、画像パルス信号の受信、再生を行うことができる（特許文献２参照）。
【特許文献１】国際公開第２００５／１１４９０２号パンフレット
【特許文献２】特開平０６−１７８３３０号公報
【非特許文献１】馬杉正男、外５名、「情報通信端末からの不要電磁波による情報漏洩防止技術の検討」、２００６年電子情報通信学会ソサイエティ大会講演論文集、Ｂ−４−１、p.277、２００６年９月
【非特許文献２】登坂俊英、外４名、「ＰＣディスプレイからの漏洩電磁波による情報再現性の評価法」、２００７年電子情報通信学会総合大会講演論文集、Ｂ−４−３６、p.360、２００７年３月
【発明の開示】
【発明が解決しようとする課題】
【０００９】
しかしながら、ヘテロダイン方式では、漏洩電磁波の全ての放射電力のうち一部のみを取り出して受信しているに過ぎず、放射電力の残りの部分は利用していないため、受信効率が悪く、また全放射電力を測定することもできない。
【００１０】
本発明は、上記に鑑みてなされたものであり、その課題とするところは、微弱な漏洩電磁波に含まれる画像信号などの情報を、その全放射スペクトル領域にわたって精度良く測定、評価することができる漏洩電磁波受信装置及び漏洩電磁波受信方法を提供することにある。
【課題を解決するための手段】
【００１１】
第１の本発明に係る漏洩電磁波受信装置は、電子機器から漏洩する漏洩電磁波を受信して受信信号を出力する受信手段と、受信信号に含まれる漏洩ディジタルパルス信号の基本ビットレートの整数倍の周波数を有する基準信号を発生する基準信号発生手段と、受信信号と基準信号とを乗算するミキサ回路と、ミキサ回路の出力信号から所望の周波数帯域の信号を抽出するフィルタ回路と、フィルタ回路の出力信号を検波、復調する復調回路と、を有することを特徴とする。
【００１２】
本発明にあっては、漏洩電磁波の受信信号と、漏洩電磁波に含まれる漏洩ディジタルパルス信号の基本ビットレート（繰り返し周波数）と等しい周波数を有する基準信号とを乗算することにより、漏洩ディジタルパルス信号の変調成分がベースバンド帯域に周波数変換される。この周波数変換された信号から所望の周波数帯域の信号を抽出し、適切な方法で復調することにより、より高感度に、情報を含んだ信号を得ることができる。
【００１３】
上記漏洩電磁波受信装置において、基準信号発生手段は、基本ビットレートの整数倍のビットレートを有するパルス信号を基準信号として発生することを特徴とする。
【００１４】
本発明にあっては、基準信号にパルス信号を用いることにより、パルス信号のビットレートと同調するビットレートを有する漏洩ディジタルパルス信号を選択的に受信することを可能とする。
【００１５】
上記漏洩電磁波受信装置において、基準信号発生手段は、漏洩ディジタルパルス信号の基本ビットレートの整数倍の周波数の基準正弦波信号を発生する局部発振回路と、基準正弦波信号の周波数の整数倍の周波数を有する正弦波信号を発生させる周波数逓倍回路と、を備え、基準正弦波信号及び正弦波信号を基準信号としてミキサ回路に入力することを特徴とする。
【００１６】
本発明にあっては、漏洩ディジタルパルス信号の基本ビットレートの整数倍の周波数を有する複数の正弦波により基準信号を構成することで、基準信号にパルス信号を用いた場合に対して、基準正弦波信号の周波数の偶数次の高調波が利用できるので、より受信感度を向上させることができる。
【００１７】
上記漏洩電磁波受信装置において、周波数逓倍回路の出力信号を周波数毎に分離して複数の単一周波数の正弦波信号として出力する分別フィルタ回路と、基準正弦波信号および分別フィルタ回路から出力される正弦波信号の信号レベルをそれぞれ個別に調節するレベル調整回路と、を有することを特徴とする。
【００１８】
本発明にあっては、周波数逓倍回路からの出力信号を複数の単一周波数の正弦波信号として出力する分別フィルタ回路と、基準正弦波信号及び分別フィルタ回路から出力される正弦波信号の信号レベルを調節するレベル調整回路とを備えることにより、基準正弦波信号とその高調波の信号レベルを適切に調節することができるので、受信した漏洩ディジタルパルス信号の歪みを低減し、忠実度の高い受信、復調が可能となる。
【００１９】
上記漏洩電磁波受信装置において、基準信号発生手段は、漏洩ディジタルパルス信号の基本ビットレートの整数倍の周波数の基準正弦波信号を発生する局部発振回路と、基準正弦波信号の位相と同期した当該基準正弦波信号の周波数の整数倍の正弦波信号を発生する複数のＰＬＬ回路と、基準正弦波信号および複数の正弦波信号の信号レベルをそれぞれ個別に調節するレベル調整回路と、を備え、レベル調整回路の出力信号を基準信号としてミキサ回路に入力することを特徴とする。
【００２０】
本発明にあっては、アナログ回路である周波数逓倍回路が不要となり、ディジタル回路をベースに構成できるので、より経済的に装置を提供することが可能となる。
【００２１】
上記漏洩電磁波受信装置において、受信信号から漏洩ディジタルパルス信号の基本ビットレートの整数倍の周波数を有する信号を抽出する抽出手段を備え、基準信号発生手段は、基準信号の位相を抽出手段が抽出した信号の位相に合わせる位相同期回路を有することを特徴とする。
【００２２】
本発明にあっては、受信信号から漏洩ディジタルパルス信号を抽出する抽出手段を備え、抽出した信号の位相に基準信号の位相を同調させることにより、安定した受信が可能となる。
【００２３】
上記漏洩電磁波受信装置において、フィルタ回路からの出力信号から画像を表示するための同期信号を抽出し、再生する同期信号再生回路を有することを特徴とする。
【００２４】
本発明にあっては、受信信号から画像を表示するための同期信号を抽出することにより、復調回路により復調した信号とともに、その同期信号をモニタディスプレイに入力することができるので、安定して再生画像を表示することが可能となる。
【００２５】
第２の本発明に係る漏洩電磁波受信方法は、電子機器から漏洩する漏洩電磁波を受信して受信信号を出力するステップと、受信信号に含まれる漏洩ディジタルパルス信号の基本ビットレートの整数倍の周波数を有する基準信号を発生するステップと、受信信号と基準信号とを乗算するステップと、乗算するステップにおいて乗算された出力信号から所望の周波数帯域の信号を抽出するステップと、抽出するステップにおいて抽出された出力信号を検波、復調するステップと、を有することを特徴とする。
【発明の効果】
【００２６】
本発明によれば、微弱な漏洩電磁波に含まれる画像信号などの情報を、その全放射スペクトル領域にわたって精度良く測定、評価することができる漏洩電磁波受信装置及び漏洩電磁波受信方法を提供することができる。
【発明を実施するための最良の形態】
【００２７】
以下、本発明の実施の形態について図面を用いて説明する。
【００２８】
［第１の実施の形態］
図１は、第１の実施の形態における漏洩電磁波受信装置の構成を示すブロック図である。同図に示す漏洩電磁波受信装置１は、受信アンテナ１１、広帯域増幅器１２、基準パルス発生回路１３、位相調整回路１４、ミキサ回路１５、フィルタ回路１６及び復調回路１７を備える。本漏洩電磁波受信装置１は、電子機器等からの漏洩電磁波の受信周波数を選択して復調し、信号出力を得るものである。
【００２９】
受信アンテナ１１は、電子機器等から発生している漏洩電磁波を受信する。受信アンテナ１１には、高調波スプリアス等も含めた周波数帯域の主要な部分が一括して受信できる程度にできるだけ広帯域なものを用いる。受信アンテナ１１により受信された受信信号のスペクトルは、図２（ａ）で示すようになる。本漏洩電磁波受信装置１では、例えば、図２（ｂ）で示す時間波形のように、基本ビットレートｆｓを有し、ＡＭ変調された漏洩ディジタルパルス信号の受信、復調を目的とする。
【００３０】
広帯域増幅器１２は、受信アンテナ１１において受信した広帯域な電気信号を、後続の回路で処理を行うのに十分なレベルまで増幅する。広帯域増幅器１２の増幅可能な周波数帯域は、受信アンテナ１１と同程度の広帯域なものとする。
【００３１】
基準パルス発生回路１３は、一定のパルス幅で２値のレベルを交互に繰り返す基準パルス信号を発生する。基準パルス信号の繰り返し周波数は、漏洩信号に含まれる情報信号の中で、受信したい特定の漏洩ディジタルパルス信号の基本ビットレートｆｓあるいはその基本ビットレートｆｓの整数倍の周波数に合わせて調整する。基準パルス信号は、図２（ｄ）で示すように、繰り返し周波数がｆｓとなるように調整され、基準パルス信号のスペクトルは、図２（ｃ）で示すように、ｆｓの奇数倍の成分を持つ。基準パルス信号の発生は、マルチバイブレータ等を用いて簡単に実現できる。
【００３２】
位相調整回路１４は、基準パルス信号の位相を受信した漏洩ディジタルパルス信号の位相と同期させる。これにより受信効率が高くなる。位相調整回路１４は、基準パルス信号の伝送遅延量を可変させて少なくとも１繰り返し周期以上の範囲で位相を調節する。
【００３３】
ミキサ回路１５は、広帯域増幅器１２から入力される受信信号と、位相調整回路１４から入力される基準パルス信号とを混合する。ミキサ回路１５は、非線形性を持ったアナログ回路であり、入力された２つの信号を乗算し、相互変調波歪みを生成する機能を有する。ミキサ回路１５は、ダブルバランスドモジュレータなどを用いて実現できる。ミキサ回路１５により２つの信号を混合した結果、ベースバンド帯域に図２（ｅ）で示すようなスペクトルを持った信号が出力される。ここで、ミキサ回路１５の出力信号は、受信信号と基準パルス信号との相関を取ったものと解釈することもできる。
【００３４】
フィルタ回路１６により、ミキサ回路１５が出力した信号から不要なノイズを除去し、図２（ｆ）で示すような、漏洩ディジタルパルス信号の変調信号を得る。
【００３５】
復調回路１７は、フィルタ回路１６の出力を復調して信号出力を得る。
【００３６】
したがって、本実施の形態によれば、電子機器等の内部回路で使用されるディジタルパルス信号により生じた漏洩電磁波を、受信アンテナ１１により、その放射スペクトルの占める広い周波数帯域にわたって一括して受信し、受信信号と基準パルス発生回路１３で発生した基準パルス信号とを、ミキサ回路１５により、混合して復調することにより、漏洩ディジタルパルス信号の複数のピークの電力を統合して利用可能となるので、Ｓ／Ｎ比の良い受信動作ができ、より高精度な受信レベルの測定や、より高感度な受信、復調が可能となる。
【００３７】
［第２の実施の形態］
図３は、第２の実施の形態における漏洩電磁波受信装置の構成を示すブロック図である。同図に示す漏洩電磁波受信装置２は、第１の実施の形態の基準パルス発生回路１３、位相調整回路１４のかわりに、局部発振回路２１、周波数逓倍回路２２を設けて基準信号を生成するものである。
【００３８】
局部発振回路２１は、漏洩ディジタルパルス信号の基本ビットレートと同じ周波数ｆｓをもつ正弦波である局部発振信号を発生する。
【００３９】
周波数逓倍回路２２は、局部発振信号を用いて、その整数倍の高調波を生成する。周波数逓倍回路２２は、アナログ非線形回路等を用いて容易に実現できる。
【００４０】
ミキサ回路１５により、局部発振回路２１と周波数逓倍回路２２により得られた周波数ｆｓの整数倍の周波数を持った複数の正弦波信号と受信信号とを混合させることで、第１の実施の形態の場合と同様に、ベースバンド変調信号が得られる。第１の実施の形態と比較して、本実施の形態においては、周波数ｆｓの偶数次の高調波が利用できるため、漏洩信号によっては、より受信感度を向上させることができる。
【００４１】
したがって、本実施の形態によれば、局部発振回路２１、周波数逓倍回路２２により漏洩ディジタルパルス信号の基本ビットレートと同じ周波数およびその高調波を持った基準信号を発生し、受信信号と混合させることにより、漏洩ディジタルパルス信号の変調信号をベースバンド帯域に変換することができ、周波数ｆｓの偶数次の高調波が利用できるため、より高精度な受信レベルの測定や、より高感度な受信、復調が可能となる。
【００４２】
［第３の実施の形態］
図４は、第３の実施の形態における漏洩電磁波受信装置の構成を示すブロック図である。同図に示す漏洩電磁波受信装置３は、第２の実施の形態で示したものに対して、レベル調整回路３１、分別フィルタ回路３２を備えた点で異なっている。
【００４３】
分別フィルタ回路３２は、周波数逓倍回路２２の出力をその周波数ｎｆｓ（ｎ＝２，３，４，…）ごとに分離する。レベル調整回路３１は、分離された周波数ｎｆｓのレベルを個別に調整する。
【００４４】
一般に、電子機器等から外部に放射される漏洩電磁波は、その放射過程や無線伝搬過程においてさまざまな伝達関数をもつ経路を経ており、その周波数特性や位相特性は元のディジタルパルス信号に比べて歪んだものとなる。本実施の形態のように、基準信号のレベル調整を適切に行うことにより、等価的にこの歪みを低減、もしくは消失させることが可能となる。
【００４５】
また、レベル調整回路３１の前段あるいは後段に、分離された周波数ｎｆｓの位相を個別に調節する位相調整回路を備えてもよい。これにより、さらに高性能に歪みを低減、消失させることが可能となる。
【００４６】
したがって、本実施の形態によれば、基準信号の各周波数のレベルを個別に調節するレベル調整回路３１を備えることにより、より忠実度の高い受信、復調を行うことができる。
【００４７】
［第４の実施の形態］
図５は、第４の実施の形態における漏洩電磁波受信装置の構成を示すブロック図である。同図に示す漏洩電磁波受信装置４は、第３の実施の形態の分別フィルタ回路３２のかわりに、局部発振回路（ＶＣＯ）４１、分周器４２および位相比較器４３からなるＰＬＬ（Phase-Locked Loop）回路４４を設け、周波数ｎｆｓ（ｎ＝２，３，４，…）をもつ正弦波を局部発振回路（ＶＣＯ）４１により直接発振させるものである。
【００４８】
局部発振回路（ＶＣＯ）４１の発振周波数を分周器４２で１／ｎに分周し、位相比較器４３により、局部発振回路２１からの出力信号と位相比較して局部発振回路（ＶＣＯ）４１にフィードバックすることで、局部発振回路２１の出力信号に位相同期した信号を得るものである。生成された信号は、レベル調整回路３１により適切なレベルに調整される。生成された信号それぞれの位相を調整する位相調整回路を備えてもよい。
【００４９】
したがって、本実施の形態によれば、複数の局部発振回路（ＶＣＯ）４１により生成された信号の位相をＰＬＬ回路４４により同期させることにより、正確な復調が可能となる。また、アナログ回路である周波数逓倍回路２２を必要としないので、ディジタル回路をベースに構成でき、より経済的に漏洩電磁波受信装置を実現することができる。
【００５０】
［第５の実施の形態］
図６は、第５の実施の形態における漏洩電磁波受信装置の構成を示すブロック図である。同図に示す漏洩電磁波受信装置５は、第１の実施の形態で示したものに対して、基準フィルタ回路５１、パルス化回路５２、位相比較器５３を備えたものである。
【００５１】
基準フィルタ回路５１により、広帯域増幅器１２から出力される受信信号に含まれる周波数ｆｓを取り出し、パルス化回路５２によりパルス化した後、位相比較器５３を用いて、基準パルス発生回路１３の出力と位相比較し、その結果を基準パルス発生回路１３にフィードバック制御することでＰＬＬ動作を行う。これにより、受信信号の周波数変化に追従して基準パルス発生回路１３の同調周波数が自動制御されるので、安定した受信が可能となる。
【００５２】
したがって、本実施の形態によれば、受信信号に含まれる周波数ｆｓを取り出してパルス化したパルス信号の位相に基準パルス信号を同期させることにより、安定した受信が可能となる。
【００５３】
なお、ここでは第１の実施の形態に適用した例について説明したが、他の実施の形態に適用して基準信号を同期させるものでもよい。
【００５４】
［第６の実施の形態］
図７は、第６の実施の形態における漏洩電磁波受信装置の構成を示すブロック図である。同図に示す漏洩電磁波受信装置６は、第１の実施の形態で示したものに対して、垂直同期信号再生回路６２、水平同期信号再生回路６４を備えたものである。
【００５５】
ＰＣやモニタディスプレイから漏洩した電磁波を受信すると、元のモニタ画像を復元、再生することが可能となる。本漏洩電磁波受信装置６は、受信信号から垂直同期信号、水平同期信号を抽出、復元し、これらの同期信号を用いてモニタ画像を復元、再生することにより、漏洩電磁波にどの程度の画像情報が含まれているかを評価するものである。
【００５６】
ＰＣやモニタディスプレイから漏洩電磁波を受信すると、フィルタ回路１６から出力されるベースバンド信号には元の画像信号の垂直同期信号、水平同期信号のいずれか、あるいは両方が含まれる。フィルタ回路６１により垂直同期信号の周波数のみを選択し、垂直同期信号再生回路６２により垂直同期信号を識別再生し、画像インタフェースの規定に合わせた形に成型し直してモニタディスプレイ１００に入力する。水平同期信号についても同様に、フィルタ回路６３により水平同期信号の周波数を選択し、水平同期信号再生回路６４により水平同期信号を復元してモニタディスプレイ１００に入力する。
【００５７】
このように抽出、復元した同期信号を供給したモニタディスプレイ１００に復調回路１７の出力信号を入力することにより、モニタディスプレイ１００上での再生画像の表示位置が時間と共にずれることなく、安定して再生画像を表示することが可能となる。
【００５８】
したがって、本実施の形態によれば、受信信号から垂直同期信号、水平同期信号を抽出、復元し、復調した出力信号とともにモニタディスプレイ１００に入力することにより、漏洩電磁波に含まれた画像情報を安定して再生画像を表示することが可能となる。
【００５９】
なお、ここでは第１の実施の形態に適用した例について説明したが、他の実施の形態に適用して同期信号を得るものであってもよい。
【図面の簡単な説明】
【００６０】
【図１】第１の実施の形態における漏洩電磁波受信装置の構成を示すブロック図である。
【図２】図１の漏洩電磁波受信装置が扱う信号の様子を示す図である。
【図３】第２の実施の形態における漏洩電磁波受信装置の構成を示すブロック図である。
【図４】第３の実施の形態における漏洩電磁波受信装置の構成を示すブロック図である。
【図５】第４の実施の形態における漏洩電磁波受信装置の構成を示すブロック図である。
【図６】第５の実施の形態における漏洩電磁波受信装置の構成を示すブロック図である。
【図７】第６の実施の形態における漏洩電磁波受信装置の構成を示すブロック図である。
【図８】ヘテロダイン方式の従来の受信装置の構成を示すブロック図である。
【図９】図８の受信装置が扱う信号の様子を示す図である。
【符号の説明】
【００６１】
１，２，３，４，５，６…漏洩電磁波受信装置
１１…受信アンテナ
１２…広帯域増幅器
１３…基準パルス発生回路
１４…位相調整回路
１５…ミキサ回路
１６…フィルタ回路
１７…復調回路
２１…局部発振回路
２２…周波数逓倍回路
３１…レベル調整回路
３２…分別フィルタ回路
４１…局部発振回路
４２…分周器
４３…位相比較器
４４…ＰＬＬ回路
５１…基準フィルタ回路
５２…パルス化回路
５３…位相比較器
６１，６３…フィルタ回路
６２…垂直同期信号再生回路
６４…水平同期信号再生回路
７…受信装置
７１…受信アンテナ
７２…高周波フィルタ
７３…高周波増幅器
７４…局部発振回路
７５…ミキサ回路
７６…中間周波数フィルタ
７７…中間周波数増幅器
７８…検波・復調回路
１００…モニタディスプレイ
【図１】
2008309554.tif 000003
【図２】
2008309554.tif 000004
【図３】
2008309554.tif 000005
【図４】
2008309554.tif 000006
【図５】
2008309554.tif 000007
【図６】
2008309554.tif 000008
【図７】
2008309554.tif 000009
【図８】
2008309554.tif 000010
【図９】
2008309554.tif 000011